(57)【要約】【課題】高温の熱風の吹き出しを防止した構成の電磁誘導加熱器を提供することを目的とする。【解決手段】天板を取り付けた本体と、本体下部に設けた吸気口と排気口と、本体内に設けた冷却ファンと誘導加熱コイルを有し、排気口は本体下部の広い範囲に設け、誘導加熱コイルの冷却ファンと対面する排気口部は開口穴の面積を小さくして、温度の高い送風が排気口から吹き出る前に流れる向きを変えて、温度低減をすることできる。【選択図】図３
2008053071.tif 000002
【特許請求の範囲】
【請求項１】
天板と、前記天板を天部に取り付けた樹脂製の本体上部と、前記本体上部と組み合わされ本体外郭を構成する樹脂製の本体下部と、前記本体下部に設けた吸気口、及び排気口と、前記本体下部内に設け電気回路を構成したプリント基板と、前記天板の裏面に位置して設けた誘導加熱コイルと、前記本体下部の吸気口近傍に設けた冷却ファンとを有し、排気口は本体下部の広い範囲に設け、誘導加熱コイルの冷却ファンと対面する排気口部は開口穴の面積を小さくした誘導加熱調理器。
【請求項２】
誘導加熱コイル上方の天板の下面には薄い断熱板を貼り付けた構成にした請求項１に記載の誘導加熱調理器。
【発明の詳細な説明】
【技術分野】
【０００１】
本発明は一般家庭で使用する誘導加熱調理器に関するものである。
【背景技術】
【０００２】
従来、この種の誘導加熱調理器は、天板を取り付けた樹脂製の外郭上部と、外郭上部と組み合わされ本体を構成する樹脂製の外郭下部と、外郭下部に設けた吸気口及び排気口と、外郭下部内に設けたプリント基板と冷却ファンを有し、冷却ファン７の風を冷却部品であるプリント基板に向け送るために送風リブを本体内に設けていた。また、天板の裏面に位置して誘導加熱コイルを設けていた（例えば、特許文献１参照）。
【特許文献１】特開平８−６４３５５号公報
【発明の開示】
【発明が解決しようとする課題】
【０００３】
しかしながら、前記従来の構成では、排気口から吹き出る送風は排気口の位置により温度の差が大きく、一部の排気口からは温度の高い風が吹き出し、その近傍では不快になるという課題を有していた。
【０００４】
本発明は、前記従来の課題を解決するもので、本体の排気口から吹き出す送風で温度の高い風の吹き出しを無くし、不快感を解消する誘導加熱調理器を提供することを目的とする。
【課題を解決するための手段】
【０００５】
前記従来の課題を解決するために、本発明の誘導加熱調理器は、天板と、前記天板を天部に取り付けた樹脂製の本体上部と、前記本体上部と組み合わされ本体外郭を構成する樹脂製の本体下部と、前記本体下部に設けた吸気口、及び排気口と、前記本体下部内に設け電気回路を構成したプリント基板と、前記天板の裏面に位置して設けた誘導加熱コイルと、前記本体下部の吸気口近傍に設けた冷却ファンとを有し、排気口は本体下部の広い範囲に設け、誘導加熱コイルの冷却ファンと対面する排気口部は開口穴の面積を小さくしたものである。
【０００６】
これによって、冷却ファンからの送風で誘導加熱コイル上を流れる送風は温度が高くなり、それが誘導加熱コイルの冷却ファンと対面側の排気口部から吹き出すが、ここで排気口部の開口穴の面積を小さくすることで、この部分の排気口から外に吹出す熱風の量が抑えられ、その部分の空気の温度を低減できる。
【０００７】
また、排気口の開口穴の面積が少なくなったことで、この部分の開口穴から外に出なかった熱が開口穴の両側の排気口に流れ出し、この部分の低温の送風と混じり合い、本体外に吹き出すことで全体の吹き出し送風の温度低下が図れる。
【発明の効果】
【０００８】
本発明の誘導加熱調理器は、排気口部の開口穴の面積を小さくすることで、この部分の排気口から外に吹き出す熱風の量が抑えられ、その部分の空気の温度を低減できる。
【発明を実施するための最良の形態】
【０００９】
第１の発明は、天板と、前記天板を天部に取り付けた樹脂製の本体上部と、前記本体上部と組み合わされ本体外郭を構成する樹脂製の本体下部と、前記本体下部に設けた吸気口、及び排気口と、前記本体下部内に設け電気回路を構成したプリント基板と、前記天板の裏面に位置して設けた誘導加熱コイルと、前記本体下部の吸気口近傍に設けた冷却ファンとを有し、排気口は本体下部の広い範囲に設け、誘導加熱コイルの冷却ファンと対面する排気口部は開口穴の面積を小さくしたものである。
【００１０】
この構成により冷却ファンから誘導加熱コイルの上面を流れる送風は誘導加熱コイルが電流を流すことで自己発熱した熱と、誘導加熱コイルの上方の天板の上に載置されて加熱される鍋等の調理器の加熱による輻射熱により高温になり、この熱風は誘導加熱コイルの冷却ファンと対面する排気口部から本体外に吹出すが、その熱の一部は外に吹出させ、その他の部分の熱は流れる方向を変えて、その両側の排気口に流すことでその部分の低温の送風と混じることで、熱風の温度が下がり、本体外に排気することができる。
【００１１】
第２の発明は、誘導加熱コイル上方の天板の下面には薄い断熱板を貼り付けた構成にしたものである。
【００１２】
これにより、天板の下面には薄い断熱板を貼り付けることで、天板の上に載置されて加熱される鍋等の調理器の加熱による輻射熱を抑えるので、吹出す送風の温度を下げることができる。
【００１３】
ここで、断熱板は天板全体の大きさにすると、天板自体の温度も上昇して、鍋等を天板に置くときに天板に触れると火傷する恐れがあるが、断熱板を誘導加熱コイルの大きさと同等の大きさにすることで、天板の下側には誘導加熱コイルの上方以外は風を触れさせることができ、天板の温度上昇を抑えることができる。
【００１４】
以下、本発明の実施の形態について、図面を参照しながら説明する。なお、この実施の形態によって本発明が限定されるものではない。
【００１５】
（実施の形態１）
図１〜図６は、本発明の実施の形態１における電磁誘導加熱器を示している。
【００１６】
本実施の形態においては、調理具として、鍋形状のものに限定されるものではないが、これを代表例として以下説明する。
【００１７】
図１において、１１は天板、１２は天板１１を天部に取り付けた樹脂製の本体上部、１３は本体上部２と組み合わされ本体を構成する樹脂製の本体下部である。１４は本体後部の排気口である。
【００１８】
図２において、本体後部の排気口１４は１５の排気口Ａ、１６の排気口Ｂ及び１７の排気口Ｃに形状で区分される。排気口Ａ１５は排気口Ｂ１６と排気口Ｃ１７よりも開口穴の面積が小さく、本体の側面側では排気口Ａ１５は１８の開口部Ａが小さく、１９の閉口部Ａが存在している。
【００１９】
図３において、本体後部の排気口Ａ１４は本体の底面側では排気口Ａ１５は２０の開口部Ｂが小さく、２１の閉口部Ｂが存在している。
【００２０】
また、２２は本体底面に設けた吸気口である。
【００２１】
図４において、２３は本体下部１３内に設けた電気回路を構成したプリント基板、２４は本体下部１３内に設けた冷却ファンである。２５は天板１１の裏面に位置して設けた誘導加熱コイルであり、誘導加熱コイル２５は２６のコイルホルダーに取り付けられ、上から２７の固定部で固持されている。コイルホルダー２６は本体下部１３に取り付けられている。
【００２２】
以上のように構成された誘導加熱調理器について、以下その動作、作用を説明する。
【００２３】
まず、天板１１上に置かれる鍋等を誘導加熱する際、プリント基板２３が駆動されると、誘導加熱コイル２５に電流が流れ、磁界を発生する。その際、プリント基板２３の電子部品と誘導加熱コイル２５は、自己発熱する。それと同時に冷却ファン２４が駆動する。
【００２４】
冷却ファン２４が駆動すると、本体下部１２に設けた吸気口２２から外気を本体内に吸引して、本体内に送風を流す。
【００２５】
ここで本体内で冷却が必要な部品はいくつかあり、冷却ファン２４から吹き出す送風は分流されて本体内を流れる。そして冷却が必要な部品に触れながら送風が流れ、送風の空気と自己発熱している部品とが熱交換されながら、送風の風は温度を上昇しながら、幅広い排気口に各々到達して、排気口の穴から本体外に吹き出される。
【００２６】
図５において、３０の送風Ａは誘導加熱コイル２５の表面上を流れて、排気口Ａ１５に流れる。３１の送風Ｂは誘導加熱コイル２５の表面上を流れず、またプリント基板２３の電子部品にもあまり触れずに流れ、排気口Ｂ１６に到達する。
【００２７】
３２の送風Ｃは誘導加熱コイル２５の表面上を流れず、プリント基板２３の高温になる電子部品に触れながら流れて、排気口Ｃ１７に到達する。
【００２８】
ここで、冷却される部品は全て同じ温度でなく、送風される風速や風量も一定でなく、送風Ａ３０が送風Ｂ３１と送風Ｃ３２よりも温度が高くなる。
【００２９】
図６において、送風Ａ３０は排気口Ａ１５の近傍に到達すると、排気口Ａ１５の開口穴である開口穴Ａ１８及び開口穴Ｂ２０は排気口Ｂ１６と排気口Ｃ１７の開口穴の面積に比べると小さいので、送風Ａ３０は３３の送風Ｄのように分流される。
【００３０】
これにより、送風Ａ３０の熱も分配されて、一部の熱は排気口Ａ１５から出ずに、排気口Ｂ１６と排気口Ｃ１７から出るため、排気口Ａ１５から吹き出す送風の温度が低減される。
【００３１】
また、排気口Ｂ１６及び排気口Ｃ１７から吹き出す送風の温度は上昇するが、もともとの温度が低いので、不快感を感じない程度である。
【００３２】
以上のように、本体の排気口の一部から温度の高い熱風が吹き出すことを抑えることができる。
【００３３】
（実施の形態２）
図７は、本発明の実施の形態２における誘導加熱調理器を示すものである。
【００３４】
実施の形態１と同一名称で同一符号は形状や機能等は全く同一のものである。
【００３５】
図７において、本体上部１２に設けた天板１１の裏面には誘導加熱コイルと略同サイズの４１の断熱板が４２の固定テープで天板１１に貼り付けられている。
【００３６】
これにより、天板１１の上に載置されて加熱される鍋等の調理器から天板１１は伝導熱を受け、天板１１の裏面から下方に向けて輻射熱が発生するが、断熱板４２を設けることで、誘導加熱コイル上の空気が輻射熱を受けることが抑えられ、誘導加熱コイル上を流れる送風の温度の上昇を抑えることができる。
【００３７】
故に、本体の排気口Ａ１５に届く送風Ａ３０の温度も上昇を抑えられ、本体から吹き出す送風の温度も下げることができる。
【産業上の利用可能性】
【００３８】
以上のように、本発明にかかる電磁誘導調理器は、排気温度を低減することで調理時の使い勝手を容易な方法で対策することができる。
【図面の簡単な説明】
【００３９】
【図１】本発明の実施の形態１における誘導加熱調理器を示す斜視図
【図２】同誘導加熱調理器の後面図
【図３】同誘導加熱調理器の裏面図
【図４】同誘導加熱調理器の内部を示す天板を外した斜視図
【図５】同誘導加熱調理器の内部を示す天板と本体上部の部品を外した斜視図
【図６】同誘導加熱調理器の内部を示す天板と本体上部の部品を外した平面図
【図７】本発明の実施の形態２における誘導加熱調理器を示す天板の裏面図
【符号の説明】
【００４０】
１１  天板
１２  本体上部
１３  本体下部
１４  排気口
１５  排気口Ａ
１６  排気口Ｂ
１７  排気口Ｃ
１８  開口部Ａ
１９  閉口部Ａ
２０  開口部Ｂ
２１  閉口部Ｂ
２２  吸気口
２３  プリント基板
２４  冷却ファン
２５  誘導加熱コイル
２６  コイルホルダー
２７  固定部
３０  送風Ａ
３１  送風Ｂ
３２  送風Ｃ
３３  送風Ｄ
４１  断熱板
４２  固定テープ
【図１】
2008053071.tif 000003
【図２】
2008053071.tif 000004
【図３】
2008053071.tif 000005
【図４】
2008053071.tif 000006
【図５】
2008053071.tif 000007
【図６】
2008053071.tif 000008
【図７】
2008053071.tif 000009